(57)【要約】【課題】アイスディスペンサにおいて、貯氷室のメンテナンス作業を容易にする。【解決手段】アイスディスペンサ１０は、貯氷室１６にモータＭにより回転する氷送出スクリュー５０およびアジテータ６０を備えている。氷送出スクリュー５０およびアジテータ６０は、前扉３０に配設した前軸受４２,４６に保持した軸部の後端に連結したカップリング５６,６６に回転軸５２,６２の前端が着脱自在に夫々係合される。また回転軸５２,６２の後端は後軸受５５,６５で保持される。前扉３０の開放に伴ってカップリング５６,６６との係合状態が解除された回転軸５２,６２の前端は、カップリング５６,６６との係合状態と略同一姿勢でシュート２９および支持部材１７で夫々支持される。そして、前扉３０の閉成に伴ってカップリング５６,６６と回転軸５２,６２の前端が再び連結される。【選択図】図１
2006242457.tif 000002
【特許請求の範囲】
【請求項１】
貯氷室(16)に回転自在に設けられ、氷塊の搬出／撹拌を行なう回転体(50,60)と、
前記貯氷室(16)を開閉自在に閉成して、常には壁部をなす壁部材(30)と、
前記壁部材(30)に設けられ、前記回転体(50,60)を回転させる動力伝達手段(41,43,44,45,47,48,M)と、
前記回転体(50,60)における回転軸(52,62)の軸端に設けた第１係合部(53,63)と、
前記動力伝達手段(41,43,44,45,47,48,M)における出力軸(58,68)の軸端に設けた第２係合部(56,66)とからなり、
前記壁部材(30)が前記貯氷室(16)を閉成しているときは、前記第１係合部(53,63)と第２係合部(56,66)とが係合して、前記回転体(50,60)と動力伝達手段(41,43,44,45,47,48,M)とを結合し、
前記壁部材(30)を前記貯氷室(16)から開放したときは、前記第１係合部(53,63)と第２係合部(56,66)との係合が解除されて、前記回転体(50,60)と動力伝達手段(41,43,44,45,47,48,M)とを離脱させるよう構成した
ことを特徴とするアイスディスペンサ。
【請求項２】
前記貯氷室(16)を内部に画成する貯氷庫(14)には、前記動力伝達手段(41,43,44,45,47,48,M)から離脱した回転体(50,60)を、前記第１係合部(53,63)と第２係合部(56,66)との係合状態と略同一姿勢で取外し可能に支持する支持手段(17,29)を備える請求項１記載のアイスディスペンサ。
【請求項３】
前記回転軸(52,62)における第１係合部(53,63)と反対側の軸端は、前記貯氷室(16)における壁部材(30)と対向する壁部に設けた軸受部(55,65)に回転自在で、かつ壁部材(30)側へ挿脱自在に支持されている請求項１または２記載のアイスディスペンサ。
【請求項４】
前記何れか一方の係合部(56,66)は、前記回転軸(52,62)または出力軸(58,68)の軸端が挿入される挿入孔(56a,66a)と、該挿入孔(56a,66a)の開放端に半径方向に設けたスリット(56b,66b)とを備え、
対応する他方の係合部は、半径方向外方に向けて突出して、前記出力軸(58,68)または回転軸(52,62)を挿入孔(56a,66a)へ挿入した際に前記スリット(56b,66b)に嵌合するピン(53,63)を備える請求項１〜３の何れかに記載のアイスディスペンサ。
【請求項５】
前記挿入孔(56a,66a)の開放端縁に、面取りした第１テーパ面(56c,66c)が形成されている請求項４記載のアイスディスペンサ。
【請求項６】
前記スリット(56b,66b)の開放端縁に、面取りした第２テーパ面(56d,66d)が形成されている請求項４または５記載のアイスディスペンサ。
【請求項７】
前記回転軸(52,62)または出力軸(58,68)の軸端には、開放端に向かうにつれて縮径する傾斜面(52a,62a)が形成されている請求項４〜６の何れかに記載のアイスディスペンサ。
【請求項８】
前記壁部材(30)および支持手段(17,29)には、前記出力軸(58,68)および回転軸(52,62)に外周囲に対応して前記ピン(53,63)とスリット(56b,66b)とを整合する際の目安となる目印(70)が夫々設けられている請求項４〜７の何れかに記載のアイスディスペンサ。
【発明の詳細な説明】
【技術分野】
【０００１】
この発明は、貯氷庫に内部画成されて氷塊が貯留される貯氷室に、動力伝達手段により回転されて氷塊を搬送または撹拌する回転体を回転自在に設けたアイスディスペンサに関するものである。
【背景技術】
【０００２】
貯氷庫に内部画成した貯氷室に多数の氷塊を貯蔵して、必要に応じて取出しできるよう構成したアイスディスペンサが、飲食店等で広く用いられている(例えば、特許文献１参照)。このアイスディスペンサは、貯氷室の底部近傍に回転自在に支持した回転軸に螺旋状に巻き掛けたフィンを有する氷送出スクリューを備え、回転軸がモータにより回転駆動されることで、氷塊をフィンで案内移送して、貯氷室の底部に開設された氷放出口から送出するよう構成されている。また前記貯氷室には、前記氷送出スクリューの上方に位置してアジテータが回転自在に配設され、その回転軸が前記モータにより回転されて貯氷室に貯蔵した氷塊が撹拌される。
【０００３】
前記氷送出スクリューおよびアジテータにおける回転軸の一端は、貯氷庫の後壁部に夫々保持され、他端は前壁部を貫通して前面に突出すると共に前壁部で夫々軸支されている。また、貯氷庫の前面に突出した各回転軸の軸端に配設したプーリと、貯氷庫の前面に設けたモータのプーリとの間にベルトが巻回され、モータにより氷送出スクリューおよびアジテータを回転駆動するようになっている。
【特許文献１】実開昭５８−１２６６８１号公報
【発明の開示】
【発明が解決しようとする課題】
【０００４】
ところで前記アイスディスペンサでは、氷送出スクリュー、アジテータおよび貯氷室の清掃や氷送出スクリュー、アジテータおよび貯氷スイッチの故障時に取替える場合に、直接氷塊に接触せず、衛生的に問題がないプーリやベルト等の動力伝達手段を夫々分解したもとで、前壁部を取外して氷送出スクリュー等を取外す必要があるため、メンテナンス作業に大変な手間と時間がかかる難点が指摘される。
【０００５】
すなわち本発明は、従来の技術に係るアイスディスペンサに内在する前記問題に鑑み、これらを好適に解決するべく提案されたものであって、貯氷室に収容した回転体の清掃等のメンテナンスを容易に実施し得るアイスディスペンサを提供することを目的とする。
【課題を解決するための手段】
【０００６】
前記課題を克服し、所期の目的を達成するため、本願の請求項１の発明に係るアイスディスペンサは、
貯氷室に回転自在に設けられ、氷塊の搬出／撹拌を行なう回転体と、
前記貯氷室を開閉自在に閉成して、常には壁部をなす壁部材と、
前記壁部材に設けられ、前記回転体を回転させる動力伝達手段と、
前記回転体における回転軸の軸端に設けた第１係合部と、
前記動力伝達手段における出力軸の軸端に設けた第２係合部とからなり、
前記壁部材が前記貯氷室を閉成しているときは、前記第１係合部と第２係合部とが係合して、前記回転体と動力伝達手段とを結合し、
前記壁部材を前記貯氷室から開放したときは、前記第１係合部と第２係合部との係合が解除されて、前記回転体と動力伝達手段とを離脱させるよう構成したことを特徴とする。
【０００７】
請求項１の発明によれば、動力伝達手段を設けた壁部材を開放することで、貯氷室が開放されると共に、回転体の第１係合部と第２係合部との係合状態を解除して動力伝達手段から回転体を離脱させることができるから、回転体のメンテナンス作業の効率を向上させることができる。
【０００８】
請求項２の発明は、請求項１記載の発明に係るアイスディスペンサにおいて、前記貯氷室を内部に画成する貯氷庫には、前記動力伝達手段から離脱した回転体を、前記第１係合部と第２係合部との係合状態と略同一姿勢で取外し可能に支持する支持手段を備えている。
【０００９】
請求項２の発明によれば、動力伝達手段から離脱した回転体の姿勢を支持手段で維持し得るから、壁部材で貯氷室を閉成した際に、動力伝達手段と回転体とが容易に係合される。
【００１０】
請求項３の発明は、請求項１または請求項２の発明に係るアイスディスペンサにおいて、前記回転軸における第１係合部と反対側の軸端は、前記貯氷室における壁部材と対向する壁部に設けた軸受部に回転自在で、かつ壁部材側へ挿脱自在に支持されている。
【００１１】
請求項３の発明によれば、回転体を軸受部から挿脱し得るよう構成したので、回転体のメンテナンス作業の効率をより向上させることができる。
【００１２】
請求項４の発明は、請求項１〜３の何れかに記載の発明に係るアイスディスペンサにおいて、前記何れか一方の係合部は、前記回転軸または出力軸の軸端が挿入される挿入孔と、該挿入孔の開放端に半径方向に設けたスリットとを備え、
対応する他方の係合部は、半径方向外方に向けて突出して、前記出力軸または回転軸を挿入孔へ挿入した際に前記スリットに嵌合するピンを備えている。
【００１３】
請求項４の発明によれば、回転体と動力伝達手段とを一体的に回転するよう係合する係合部を、挿入孔、スリットおよびピンにより構成したから、駆動手段から回転体への回転を確実に伝達し得ると共に、着脱が容易になる。
【００１４】
請求項５の発明は、請求項４の発明に係るアイスディスペンサにおいて、前記挿入孔の開放端縁に、面取りした第１テーパ面が形成される。
【００１５】
請求項５の発明によれば、挿入孔の開放端縁に第１テーパ面を形成したから、挿入孔に対して回転体または動力伝達手段の出力軸を第１テーパ面で案内して容易に挿入することができる。
【００１６】
請求項６の発明は、請求項４または５記載の発明に係るアイスディスペンサにおいて、前記スリットの開放端縁に、面取りした第２テーパ面が形成される。
【００１７】
請求項６の発明によれば、スリットの開放端縁に第２テーパ面を形成したから、スリットに対してピンを第２テーパ面で案内して容易に挿入することができる。
【００１８】
請求項７の発明は、請求項４〜６の何れかに記載の発明に係るアイスディスペンサにおいて、前記回転軸または出力軸の軸端には、開放端に向かうにつれて縮径する傾斜面が形成される。
【００１９】
請求項６の発明によれば、回転体または動力伝達手段の出力軸の端部に傾斜面を形成したから、挿入孔に対する回転体または動力伝達手段の挿入が容易にとなる。
【００２０】
請求項８の発明は、請求項４〜７の何れかに記載の発明に係るアイスディスペンサにおいて、前記壁部材および支持手段には、前記出力軸および回転軸に外周囲に対応して前記ピンとスリットとを整合する際の目安となる目印が夫々設けられる。
【００２１】
請求項８の発明によれば、目印によりスリットとピンとの位置合わせが容易となる。
【発明の効果】
【００２２】
本発明に係るアイスディスペンサによれば、貯氷室に収容した回転体の清掃等のメンテナンスを容易に実施し得る。
【発明を実施するための最良の形態】
【００２３】
次に、本発明に係るアイスディスペンサにつき、好適な実施例を挙げて、添付図面を参照して以下に説明する。なお実施例では、アイスディスペンサにおいて、氷放出口が設けられる側を前側とする。
【実施例】
【００２４】
図１に示すアイスディスペンサ１０は、その本体をなす筐体１２に、断熱材で囲われて、貯氷室１６を内部画成した上方に開放する箱状の貯氷庫１４と、この貯氷庫１４の上部に配設されて、多数の氷塊を製造する製氷ユニット２０を備えた製氷機構室１８とが設けられる。また筐体１２には、貯氷庫１４の下方に、機械室２２が内部画成され、この機械室２２に圧縮機ＣＭ、凝縮器ＣＤおよび凝縮器ファンＦＭ等からなる冷凍機構２４および電装箱２６等が収納されている。そして、冷凍機構２４が駆動されているもとで製氷ユニット２０へ給水することで所要形状の氷塊が連続的に生成され、この生成された氷塊は製氷ユニット２０から放出されて、下方に位置する貯氷室１６に貯蔵される。なお、貯氷室１６の後壁面における上部には、氷塊の貯留状況を検知する貯氷スイッチＳが配設されている。
【００２５】
前記貯氷庫１４には、その底部前側に貯氷室１６に連通する氷放出口２８が開設されると共に、この氷放出口２８に連通するシュート(支持手段)２９が垂設されている。また貯氷庫１４の前壁(壁部)には、外部から貯氷室１６に連通する開口部１４ａが開設され、この開口部１４ａは断熱処理された前扉(壁部材)３０により開閉自在に閉成される。前扉３０は、開口部１４ａの一側部において上下の関係で設けた一対のヒンジ部材３２,３２を介して貯氷庫１４に対して回動自在に配設され(図４参照)、常には閉成されて前壁の一部をなしている。そして前扉３０は、開口部１４ａを画成する前壁の周縁部において貯氷室側に凹設した凹部１４ｂに、前扉３０における後面側の周縁部に配設したパッキン３０ａが弾力的に当接して開口部１４ａを密閉するよう構成される。
【００２６】
前記前扉３０には、氷送出スクリュー(回転体)５０を回転自在に保持する第１前軸受４２、アジテータ(回転体)６０を回転自在に保持する第２前軸受４６およびモータ(動力伝達手段)Ｍの設置基体となる板状のベース部材４０が配設される。このベース部材４０は前扉３０の開閉に伴って一体的に移動される。ベース部材４０は、図２に示す如く、その上端部が前扉３０の前面上部に固定され、下方に向かうにつれて前扉３０から離間する第１傾斜部４０ａと、上下方向の略中間部において前扉側に屈曲する第１屈曲部４０ｂと、第１屈曲部４０ｂの下端から下方に向かうにつれて前扉３０から離間する第２傾斜部４０ｃと、第２傾斜部４０ｃの下端から前扉側に屈曲する第２屈曲部４０ｄとが一体的に屈曲形成されている。また、貯氷庫１４の前面側には、前面カバー１２ａが着脱自在に設置され、ベース部材４０およびベース部材４０の前面側に設けられた後述する動力伝達手段４１,４３,４４,４５,４７,４８,Ｍを覆ってアイスディスペンサ１０の前面側における意匠面をなしている。
【００２７】
前記前扉３０は、一対のヒンジ部材３２,３２の配設側と反対側に設けた第１ロック機構３４Ａと、前扉３０における下端の幅方向略中央に設けた第２ロック機構３４Ｂとで閉成時に開放規制される。なお、両ロック機構３４Ａ,３４Ｂは同一の構成である。すなわち、各ロック機構３４Ａ,３４Ｂは、前扉３０の縁部にスライド自在に配設した閂部材３６と、この閂部材３６と相対して貯氷庫１４における開口部１４ａの縁部に設けられ、閂部材３６の挿通を許容する係合孔３８ａを備えた係合部材３８とから構成される(図２参照)。そして、閂部材３６を係合部材３８に向けてスライド移動して係合孔３８ａに挿入することで両者３６,３８が係合して、前扉３０の開放が規制され、閂部材３６を係合部材３８から退避することで前扉３０の開放が許容される。ここで第２ロック機構３４Ｂは、ベース部材４０の裏面側に配設した設置板４９に閂部材３６が設けられてベース部材４０の裏面側に位置しているが、ベース部材４０における閂部材３６の前面に位置する部位には窓部４０ｅが開設されて、貯氷庫１４の前側から閂部材３６を操作し得るようになっている。
【００２８】
前記貯氷室１６の底部近傍には、この貯氷室１６の底部に半円状に凹設された案内部１６ａに半分程収容された状態で、氷送出スクリュー５０が、その第１回転軸(回転軸)５２を前後方向に延在し、貯氷庫１４に対して回転自在に枢支されている。また貯氷室１６には、氷送出スクリュー５０の斜め上方に位置して、アジテータ６０が、その第２回転軸(回転軸)６２を前後方向に延在し、貯氷庫１４に対して回転自在に枢支される。氷送出スクリュー５０およびアジテータ６０は、ベース部材４０における第２傾斜部４０ｃの裏面に設置したモータＭの回転を、第１伝動手段４１,４３,４４および第２伝動手段４５,４７,４８を介して伝達することで夫々回転するよう構成される。モータＭにおけるベース部材４０の前面側に突出する駆動軸Ｍ１には、モータ本体側に第１伝動手段の送出用スプロケット(動力伝達手段)４１が一体的に回転するよう配設されると共に、その前側には第２伝動手段の撹拌用スプロケット(動力伝達手段)４５が一体的に回転するよう配設されている。
【００２９】
前記氷送出スクリュー５０は、第１回転軸５２の回転に伴って該回転軸５２に設けた螺旋状のフィン５４が回転し、このフィン５４により貯氷室１６の案内部１６ａに落ち込んだ氷塊を貯氷室１６の後側から前側に案内移送し、氷放出口２８から氷塊を放出するよう構成される。第１回転軸５２は、その後端部(第１係合部と反対側の軸端)を貯氷庫１４における後壁の内部(前扉３０と対向する壁部)に設けられた第１後軸受(軸受部)５５に対して回転自在で、かつ前側から挿脱可能に支持されると共に、その前端部(軸端)はシュート２９の前面部に設けた軸孔２９ａに挿通されて前方へ突出し、第１カップリング(第２係合部)５６に着脱可能に連繋されている。第１カップリング５６は、ベース部材４０の第２傾斜部４０ｃに配設した第１前軸受４２に回転自在に保持された第１軸部(出力軸)５８の後端(軸端)に連結される(図２参照)。第１軸部５８における第１前軸受４２からベース部材４０の前側に突出した前端に、第１伝動手段の第１スプロケット(動力伝達手段)４３が一体的に回転するよう配設されている。そして、送出用スプロケット４１および第１スプロケット４３に、第１伝動手段の無端の第１チェーン(動力伝達手段)４４が巻回され、モータＭの回転が送出用スプロケット４１、第１チェーン４４および第１スプロケット４３からなる第１伝動手段を介して第１カップリング５６に伝達され、氷送出スクリュー５０を回転駆動するよう構成される。
【００３０】
前記アジテータ６０は、第２回転軸６２の回転に伴って該回転軸６２に設けた螺旋状の撹拌棒６４が回転し、この撹拌棒６４により貯氷室１６に貯蔵した氷塊を撹拌するよう構成される。第２回転軸６２は、その後端部(第１係合部と反対側の軸端)を貯氷庫１４における後壁の内部(前扉３０と対向する壁部)に設けられた第２後軸受(軸受部)６５に対して回転自在で、かつ前側から挿脱可能に支持されると共に、その前端部(軸端)は前扉３０に開設した通孔３０ｂを介して貯氷室１６側に突出した第２カップリング(第２係合部)６６に着脱可能に連繋されている。第２カップリング６６は、ベース部材４０の第１傾斜部４０ａに配設した第２前軸受４６に回転自在に保持された第２軸部(出力軸)６８の後端(軸端)に連結される(図２参照)。第２軸部６８における第２前軸受４６からベース部材４０の前側に突出した前端に、第２伝動手段の第２スプロケット(動力伝達手段)４７が一体的に回転するよう配設されている。そして、撹拌用スプロケット４５および第２スプロケット４７に、第２伝動手段の無端の第２チェーン(動力伝達手段)４８が巻回され、モータＭの回転が撹拌用スプロケット４５、第２チェーン４８および第２スプロケット４７からなる第２伝動手段を介して第２カップリング６６に伝達され、アジテータ６０を回転駆動するよう構成される。
【００３１】
前記モータＭ、両伝動手段４１,４３,４４,４５,４７,４８および両カップリング５６,６６は、ベース部材４０と共に前扉３０の開閉に伴って移動し、各回転軸５２,６２の前端部は、前扉３０の開放に際して対応のカップリング５６,６６との係合状態が解除されるよう構成される。また、各回転軸５２,６２の前端部と対応のカップリング５６,６６とは、前扉３０の開閉により特段の操作をすることなく挿脱可能に係合するよう構成される。なお、回転軸５２,６２およびカップリング５６,６６の係合構造は、氷送出スクリュー５０およびアジテータ６０の何れも同じである。図５(ａ)または図６に示すように、各回転軸５２,６２の前端部には、一対のピン(第１係合部)５３,５３,６３,６３が軸線を挟んで対称に半径方向外方に向けて突設されている。これに対し、各カップリング５６,６６は、後方(貯氷室側)に向けて開放し、対応の回転軸５２,６２における前端部の挿入を許容する挿入孔５６ａ,６６ａが開設されている。また、各カップリング５６,６６の挿入孔５６ａ,６６ａを画成する壁部分には、挿入孔５６ａ,６６ａの開放端から軸線方向に沿って切欠き形成されると共に、半径方向に開設し、各ピン５３,６３の挿通を許容する一対のスリット５６ｂ,５６ｂ,６６ｂ,６６ｂが軸線を挟んで対称に開設されている。そして、各回転軸５２,６２の前端部と対応のカップリング５６,６６とは、各スリット５６ｂ,６６ｂに夫々ピン５３,６３が整列した状態で、挿入孔５６ａ,６６ａに回転軸５２,６２の前端部が挿入される。すなわち各回転軸５２,６２は、対応のカップリング５６,６６に対して、前後方向に沿って移動する挿脱は許容されるものの、各ピン５３,６３がスリット５６ｂ,６６ｂに嵌合することで周方向への移動は規制され、回転軸５２,６２がカップリング５６,６６に対して従動回転可能に結合するようになっている。
【００３２】
図３に示すように、前扉３０が開放操作された際に、第１回転軸５２の前端部は、軸孔２９ａを画成しているシュート２９の前面部に、第１カップリング５６に前端部を係合したときと略同一姿勢で支持されるようになっている。一方、第２回転軸６２の前端部は、貯氷室１６の底部から立設された支持部材(支持手段)１７に凹設された半円状の窪み部１７ａに、第２カップリング６６に前端部を係合したときと略同一姿勢で支持される。すなわち各回転軸５２,６２の前端部は、前扉３０の開放状態でシュート２９および支持部材１７により姿勢が維持されて、前扉３０の閉成時には対応のカップリング５６,６６に容易に係合するよう構成される。
【００３３】
前記カップリング５６,６６における挿入孔５６ａ,６６ａを画成する壁部分の後端部(開放端縁)には、前方から後方に向かうにつれて半径方向外側に拡開するように面取りした第１テーパ面５６ｃ,６６ｃが形成され、第１テーパ面５６ｃ,６６ｃで対応する回転軸５２,６２の挿入孔５６ａ,６６ａへの案内を行ない得るようになっている。また各回転軸５２,６２におけるピン５３,６３の配設位置より前端側に、前方に向かうにつれて縮径する傾斜面５２ａ,６２ａが設けられて略円錐形状に形成される。なお挿入孔５６ａ,６６ａの底部は、回転軸５２,６２の傾斜面５２ａ,６２ａと略整合する形状となっている。スリット５６ｂ,６６ｂを画成する壁部分の後端部(開放端縁)には、前方から後方に向かうにつれて周方向に拡開するように面取りした第２テーパ面５６ｄ,６６ｄが形成され、第２テーパ面５６ｄ,６６ｄでピン５３,６３のスリット５６ｂ,６６ｂへの案内を行ない得るようにしてある。
【００３４】
前記ベース部材４０の裏面における第１カップリング５６(第１軸部５８)の周縁部、前扉３０の裏面における第２カップリング６６(第２軸部６８)の周縁部、シュート２９の前面における軸孔２９ａの周縁部、支持部材１７の前面における窪み部１７ａの周縁部には、前扉３０の閉成に際して、各回転軸５２,６２のピン５３,６３と対応のカップリング５６,６６のスリット５６ｂ,６６ｂとを整合する際の位置合わせの目安となる目印７０が夫々設けられている(図３および図４参照)。目印７０は、この目印の略中心に位置する各回転軸５２,６２および各カップリング５６,６６を夫々中心として所定角度毎に放射状に付された線状の目盛であって、この目盛に対応して数字やアルファベット等の符号が付されている。また前扉３０を閉成した際に、相対する目印７０,７０は、同じ目盛が対向するように設定されている。
【００３５】
〔実施例の作用〕
次に、実施例に係るアイスディスペンサの作用について説明する。アイスディスペンサ１０は、常には前扉３０により開口部１４ａが閉成され、前扉３０の裏面と貯氷庫１４の凹部１４ｂとの間に弾性変形可能なパッキン３０ａが隙間なく介在しているので、貯氷庫１４の断熱状態が好適に維持される。このとき各ロック機構３４Ａ,３４Ｂは、閂部材３６が係合部材３８の係合孔３８ａに挿入され、前扉３０の開放方向への移動を規制している。前扉３０の閉成状態では、図２に示す如く、各回転軸５２,６２の前端部が対応のカップリング５６,６６の挿入孔５６ａ,６６ａに挿入されると共に、各ピン５３,６３がスリット５６ｂ,６６ｂに夫々嵌合した状態で連繋されている。
【００３６】
アイスディスペンサ１０は、モータＭを駆動し、第１伝動手段４１,４３,４４を介して第１カップリング５６を回転駆動することで、この第１カップリング５６に係合した第１回転軸５２が回転し、氷送出スクリュー５０が回転駆動されて氷塊が氷放出口２８に向けて搬送されて放出される。同時に、第２伝動手段４５,４７,４８を介して第２カップリング６６が回転駆動され、この第２カップリング６６に係合した第２回転軸６２が回転し、アジテータ６０が回転駆動されて貯氷室１６に貯蔵した氷塊が撹拌される。
【００３７】
前記氷送出スクリュー５０やアジテータ６０の清掃等のメンテナンスに際しては、前面カバー１２ａを貯氷庫１４から取外した後、各ロック機構３４Ａ,３４Ｂの閂部材３６を係合孔３８ａから退避する方向にスライド移動して閂部材３６と係合部材３８との係合状態を解除したもとで、前扉３０を一対のヒンジ部材３２,３２を回動中心として手前側に引っ張ることで開口部１４ａを開放す。このとき前扉３０の開放移動につれて、この前扉３０に配設されたモータＭ、両伝動手段４１,４３,４４,４４,４７,４８および両カップリング５６,６６が前方に移動されることで、各ピン５３はスリット５６ｂ,６６ｂに沿って抜き出されると共に、各回転軸５２,６２の前端は挿入孔５６ａ,６６ａから抜き出されて各軸部５８,６８と回転軸５２,６２との係合状態が解除される。
【００３８】
そして、氷送出スクリュー５０における第１回転軸５２の前端部は、シュート２９の前面部に開設された軸孔２９ａの下縁部に支持されることで、第１カップリング５６で保持されていたときと略同一の姿勢で貯氷室１６に残される。同様に、アジテータ６０における第２回転軸６２の前端部は、支持部材１７の窪み部１７ａに支持されることで、第２カップリング６６で保持されていたときと略同一の姿勢で貯氷室１６に残される。氷送出スクリュー５０は、前方にスライド移動して第１後軸受５５から第１回転軸５２の後端部を抜き出した後、上方に持ち上げつつ後方にスライド移動して軸孔２９ａから第１回転軸５２の前端部を抜き出すことで、貯氷庫１４から取出すことができる。一方、アジテータ６０は、第２回転軸６２の前端部が上方に開放する窪み部１７ａに載置されているだけなので、前方へスライド移動して第２回転軸６２の後端部を第２後軸受６５から抜き出した後に上方に持ち上げることで、貯氷庫１４から取出すことができる。
【００３９】
このようにアイスディスペンサ１０は、前扉３０を開放することで、各軸部５８,６８と回転軸５２,６２の前端部との連繋状態が特段の操作を伴わず解除され、氷塊に接触しないために清掃の必要がないモータＭ、両伝動手段４１,４３,４４,４５,４７,４８を前扉３０に保持した状態で貯氷庫１４から退避させることができる。更に、重量が嵩むモータＭ等を前扉３０に保持させることができるから、電線の断線や機器の落下等が起こることはない。一方、氷塊に接触するために清掃が必要な氷送出スクリュー５０およびアジテータ６０は、前扉３０の開放に伴ってカップリング５６,６６から離脱して貯氷室１６に残るから、貯氷室１６の清掃等のメンテナンスに合わせてメンテナンスを実施し得る。貯氷庫１４の前面側に開口部１４ａを設けたので、製氷機構その他の機器を取り外すことなく、貯氷室１６および貯氷室１６に配設した貯氷スイッチ等の機器について、清掃等のメンテナンスを簡単に実施することができる。しかも開口部１４ａは低い位置にあるので、メンテナンス作業を容易にして作業効率を向上し得る。アイスディスペンサ１０を設置した状態であっても、前面カバー１２ａの取外しが可能であれば、貯氷室１６のメンテナンスを行ない得るから、作業に際して広い作業スペースを必要とせず、アイスディスペンサ自体を移動させることも要しない。
【００４０】
次に、カップリング５６,６６と回転軸５２,６２とを係合させる工程について説明する。第１回転軸５２の後端部を第１後軸受５５に保持させると共に、前端部をシュート２９の軸孔２９ａに支持させることで、氷送出スクリュー５０を貯氷室１６に収容する。また第２回転軸６２の後端部を第２後軸受６５に保持させると共に、前端部を支持部材１７の窪み部１７ａに支持させる。また前扉３０の閉成に先立って、第１回転軸５２のピン５３,５３の位置と第１カップリング５６のスリット５６ｂ,５６ｂの位置とを目印７０,７０を用いて合わせると共に、第２回転軸６２のピン６３,６３の位置と第２カップリング６６のスリット６６ｂ,６６ｂの位置とを目印７０,７０を用いて合わせる。すなわち、両ピン５３,５３,６３,６３およびスリット５６ｂ,５６ｂ,６６ｂ,６６ｂの位置を目印７０の同じ目盛に合わせておくことで、両ピン５３,５３,６３,６３およびスリット５６ｂ,５６ｂ,６６ｂ,６６ｂの角度を合わせることができる。第１回転軸５２の前端部は軸孔２９ａの下縁部で支持されて第１カップリング５６との係合状態と略同一姿勢となっているから、前扉３０の閉成につれて両者５２,５６は整合し、前扉３０が完全に閉成すると、前端部は挿入孔５６ａに挿入されると共に、各ピン５３はスリット５６ｂに夫々挿入係合した状態で連繋される。同様に、第２回転軸６２の前端部は支持部材１７の窪み部１７ａで支持されて第２カップリング６６との係合状態と略同一姿勢となっているから、前扉３０の閉成につれて両者６２,６６は整合し、前扉３０が完全に閉成すると、前端部は挿入孔６６ａに挿入されると共に、各ピン６３はスリット６６ｂに夫々挿入係合した状態で連繋される。
【００４１】
このようにアイスディスペンサ１０は、前扉３０を閉成することで、各回転軸５２,６２と対応のカップリング５６,６６とを特段の操作を伴わず係合することができるから、メンテナンス作業の手間を軽減し得る。また、目印７０を用いて、各ピン５３,６３とスリット５６ｂ,６６ｂとの角度を合わせておくことで、各回転軸５２,６２と対応のカップリング５６,６６との係合を容易に実施できる。
【００４２】
各回転軸５２,６２の前端部には傾斜面５２ａ,６２ａが設けてあるから、対応のカップリング５６,６６の挿入孔５６ａ,６６ａへの挿入に際して、各回転軸５２,６２の軸線と対応のカップリング５６,６６の軸線とが多少ずれていたとしても、傾斜面５２ａ,６２ａにより両軸線が整合する方向に案内されることで、ある程度の誤差を許容して両者５２,６２,５６,６６の係合を容易に行ない得る(図５(ｂ)参照)。同様に、各カップリング５６,６６の開放端縁に形成した第１テーパ面５６ｃ,６６ｃにより回転軸５２,６２の軸線とカップリング５６,６６の軸線とが整合する方向に案内されるから、両軸線の多少のずれを許容して両者５２,６２,５６,６６の係合をより容易に行ない得る。また、スリット５６ｂ,６６ｂの開放端縁に形成した第２テーパ面５６ｄ,６６ｄにより各ピン５３,６３をスリット５６ｂ,６６ｂに向けて案内するから、多少の位置ずれを許容してスリット５６ｂ,６６ｂに対するピン５３,６３の挿入を容易に行ない得る。
【００４３】
実施例のアイスディスペンサは、以下のように変更することができる。
(１)実施例では、カップリングに挿入孔とスリットとを設けたが、回転軸に挿入孔とスリットを設けると共に、カップリングにピンを設ける構成であってもよい。
(２)実施例では、カップリングと回転軸に設けられる係合部として、挿入孔,スリットおよびピンで構成した場合で説明したが、前扉の開閉に伴って係脱可能で、かつ前扉の閉成状態ではカップリングと回転軸(回転体)とが一体的に回転するように係合し得るものであれば、その他の構成を採用できる。例えば、一方の部材に角穴を設けると共に、他方の部材に角軸部を設ける構成であってもよい。
(３)実施例のアイスディスペンサでは、回転体として氷送出スクリューとアジテータとを貯氷室に収容する構成であるが、これに限定されず、氷送出スクリューまたはアジテータの何れか一方のみを備えるものであってもよい。
(４)回転体として氷送出スクリューとアジテータを貯氷室に収容する構成において、アジテータの第２回転軸の前端部が係合される第２カップリングのみを前扉に配設し、氷送出スクリューの第１回転軸の前端部が係合される第１カップリングを貯氷庫本体に配設する構成も採用し得る。このとき、モータは、氷送出スクリューとアジテータに対応して設けられ、氷送出スクリュー側のモータは貯氷庫本体に設けられ、アジテータ側のモータは前扉に設けられる。
(５)実施例では、前扉の一側部をヒンジ部材で回動可能に枢支したが、上端部または下端部を回転自在に枢支して回動開閉するようにしてもよい。また前扉は、貯氷庫に対して着脱自在な構成であってもよい。
(６)実施例では、目印として目盛を付した場合で説明したが、これに限定されず、カップリングと回転体との相対位置を整合させ得るものであれば、穴や凸部等その他の手段であってもよい。
【図面の簡単な説明】
【００４４】
【図１】本発明の好適な実施例に係るアイスディスペンサを示す側断面図である。
【図２】実施例のアイスディスペンサの要部を拡大して示す側断面図である。
【図３】実施例のアイスディスペンサを前扉の開放状態で示す正面図である。
【図４】実施例の開放した前扉を示す裏面図である。
【図５】カップリングと回転軸との係合構造であって、(ａ)は分離した状態、(ｂ)は係合途中の状態、(ｃ)は係合した状態を示す側断面図である。
【図６】カップリングと回転軸との係合構造を分離した状態で示す概略斜視図である。
【符号の説明】
【００４５】
１４ 貯氷庫，１６ 貯氷室，１７ 支持部材(支持手段)，２９ シュート(支持手段)
３０ 前扉(壁部材)，４１ 送出用スプロケット(動力伝達手段)
４３ 第１スプロケット(動力伝達手段)，４４ 第１チェーン(動力伝達手段)
４５ 撹拌用スプロケット(動力伝達手段)，４７ 第２スプロケット(動力伝達手段)
４８ 第２チェーン(動力伝達手段)，５０ 氷送出スクリュー(回転体)
５２ 第１回転軸(回転軸)，５２ａ 傾斜面，５３ ピン(第１係合部)
５５ 第１後軸受(軸受部)，５６ 第１カップリング(第２係合部)，５６ａ 挿入孔
５６ｂ スリット，５６ｃ 第１テーパ面，５６ｄ 第２テーパ面
５８ 第１軸部(出力軸)，６０ アジテータ(回転体)，６２ 第２回転軸(回転軸)
６２ａ 傾斜面，６３ ピン(第１係合部)，６５ 第２後軸受(軸受部)
６６ 第２カップリング(第２係合部)，６６ａ 挿入孔，６６ｂ スリット
６６ｃ 第１テーパ面，６６ｄ 第２テーパ面，６８ 第２軸部(出力軸)
７０ 目印，Ｍ モータ(動力伝達手段)
【図１】
2006242457.tif 000003
【図２】
2006242457.tif 000004
【図３】
2006242457.tif 000005
【図４】
2006242457.tif 000006
【図５】
2006242457.tif 000007
【図６】
2006242457.tif 000008